(57)【要約】【課題】ダイクロイックフィルタにより反射された余剰光が光源に対して悪影響を及ぼすことを防止可能な視標呈示装置を提供する。【解決手段】白色光を出射する光源と、白色光の光路に配置された視標チャートと、光路に配置された二色フィルタであって、緑色波長域の緑色光を透過し且つ他の波長域の余剰光を反射する緑色ダイクロイックフィルタと、赤色波長域の赤色光を透過し且つ他の波長域の余剰光を反射する赤色ダイクロイックフィルタと、を有する二色フィルタと、を備え、緑色ダイクロイックフィルタ及び赤色ダイクロイックフィルタが、光路に対して傾斜している。【選択図】図６
2020156686.tif 000002
【特許請求の範囲】
【請求項１】
白色光を出射する光源と、
前記白色光の光路に配置された視標チャートと、
前記光路に配置された二色フィルタであって、緑色波長域の緑色光を透過し且つ他の波長域の余剰光を反射する緑色ダイクロイックフィルタと、赤色波長域の赤色光を透過し且つ他の波長域の余剰光を反射する赤色ダイクロイックフィルタと、を有する二色フィルタと、
を備え、
前記緑色ダイクロイックフィルタ及び前記赤色ダイクロイックフィルタが、前記光路に対して傾斜している視標呈示装置。
【請求項２】
前記緑色ダイクロイックフィルタ及び前記赤色ダイクロイックフィルタが、前記余剰光を前記光路の外側に向けて反射する請求項１に記載の視標呈示装置。
【請求項３】
前記二色フィルタが、前記光路に対して傾斜した複数の傾斜面を有する透光体を備え、
前記緑色ダイクロイックフィルタ及び前記赤色ダイクロイックフィルタが、互いに異なる前記傾斜面に形成されている請求項１又は２に記載の視標呈示装置。
【請求項４】
前記二色フィルタが、前記光路に対して傾斜した傾斜面を有する透光体を備え、
前記緑色ダイクロイックフィルタ及び前記赤色ダイクロイックフィルタが、同一の前記傾斜面の互いに異なる領域に形成されている請求項１又は２に記載の視標呈示装置。
【請求項５】
前記光路に対して平行な第１回転軸を中心として回転するチャート板であって、前記第１回転軸の軸周り方向に沿って複数種類の前記視標チャートが設けられているチャート板と、
前記第１回転軸を中心として前記チャート板を回転させて、複数種類の前記視標チャートを選択的に前記光路に配置させる第１回転機構と、
を備え、
前記二色フィルタが、前記チャート板の少なくとも一つの前記視標チャートに対応する位置に設けられている請求項１から４のいずれか１項に記載の視標呈示装置。
【請求項６】
前記光路に対して平行な第１回転軸を中心として回転するチャート板であって、前記第１回転軸の軸周り方向に沿って複数種類の前記視標チャートが設けられているチャート板と、
前記第１回転軸を中心として前記チャート板を回転させて、複数種類の前記視標チャートを選択的に前記光路に配置させる第１回転機構と、
前記光路に対して平行な第２回転軸を中心として回転するマスク板であって、前記第２回転軸の軸周り方向に沿って複数種類のマスク開口が設けられているマスク板と、
前記第２回転軸を中心として前記マスク板を回転させて、複数種類の前記マスク開口を選択的に前記光路に配置させる第２回転機構と、
を備え、
前記二色フィルタが、前記チャート板の少なくとも一つの前記視標チャートに対応する位置、或いは前記マスク板の少なくとも一つの前記マスク開口に対応する位置に設けられている請求項１から４のいずれか１項に記載の視標呈示装置。
【請求項７】
前記二色フィルタを透過した前記緑色光及び前記赤色光が通過する光通過板と、
前記二色フィルタと前記光通過板との間に配置された遮光部材と、
を備え、
前記緑色ダイクロイックフィルタ及び前記赤色ダイクロイックフィルタが、前記二色フィルタと前記光通過板との間において前記緑色光の一部と前記赤色光の一部とを交差させる傾斜角度に設定され、
前記遮光部材が、前記二色フィルタから出射された前記緑色光の一部と前記赤色光の一部とを遮光する請求項３に記載の視標呈示装置。
【請求項８】
前記光路に対して平行な第１回転軸を中心として回転するチャート板であって、前記第１回転軸の軸周り方向に沿って複数種類の前記視標チャートが設けられているチャート板と、
前記第１回転軸を中心として前記チャート板を回転させて、複数種類の前記視標チャートを選択的に前記光路に配置させる第１回転機構と、
を備え、
前記二色フィルタが前記チャート板よりも前記光源に近い位置に配置されており、
前記光通過板が前記チャート板である請求項７に記載の視標呈示装置。
【請求項９】
前記光路に対して平行な第２回転軸を中心として回転するマスク板であって、前記第２回転軸の軸周り方向に沿って複数種類のマスク開口が設けられているマスク板と、
前記第２回転軸を中心として前記マスク板を回転させて、複数種類の前記マスク開口を選択的に前記光路に配置させる第２回転機構と、
を備え、
前記二色フィルタが、前記マスク板よりも前記光源に近い位置に配置されており、
前記光通過板が前記マスク板である請求項７に記載の視標呈示装置。
【請求項１０】
前記光源が、発光ダイオードである請求項１から９のいずれか１項に記載の視標呈示装置。
【発明の詳細な説明】
【技術分野】
【０００１】
本発明は、被検眼に対して視標を呈示する視標呈示装置に関する。
【背景技術】
【０００２】
眼科及び眼鏡店には、被検眼の各種の視機能を自覚検査するために、被検眼に対して各種視標を呈示する視標呈示装置（自覚式検眼装置ともいう）が設置されている。このような視標呈示装置として、光源から出射される白色光によりチャート板の視標チャートをその背後から照明することで、視標を被検眼から所定の検査距離（５ｍ程度）だけ離れた距離に配置されたスクリーンに投影する投影式の装置が知られている。
【０００３】
被検眼の視機能の自覚検査の一つとして、眼鏡レンズの屈折力を微調整するためのレッドグリーンテスト（赤緑検査ともいう）が知られている。このレッドグリーンテストでは、背景が緑色と赤色とに色分けされているレッドグリーンテスト視標を被検眼に呈示する。
【０００４】
投影式の視標呈示装置においてレッドグリーンテストを行う場合には、赤色フィルタ及び緑色フィルタを含む二色フィルタと、文字及び記号等が形成された視標チャートとを、光源から出射される白色光の光路にそれぞれ配置することで、スクリーンにレッドグリーンテスト視標を投影する。これにより、被検眼に対してレッドグリーンテスト視標が呈示される。
【０００５】
赤色フィルタは、赤色波長域の赤色光を透過する赤色ガラスフィルタが用いられ、緑色フィルタは、緑色波長域の緑色光を透過する緑色ガラスフィルタが用いられる。なお、色ガラスフィルタは、透過する波長域の光の一部と透過しない波長域の光の大部分とを吸収することで、特定の色を作り出す。このため、色ガラスフィルタの厚みによって光の透過率が変化して視標の明るさが変化する。そして、色ガラスフィルタは部材ごとの透過率の変動が比較的大きいので、同じ明るさ（性能）を得るためには、個々の厚みを制御する必要がある。
【０００６】
近年、投影式の視標呈示装置では、光源として白色光を出射する発光ダイオード（light emitting diode：ＬＥＤ）が用いられることが多い。この際に、従来のハロゲンランプと共に使用されていた赤色ガラスフィルタ及び緑色ガラスフィルタをそのままＬＥＤの白色光で照明すると、レッドグリーンテスト視標の赤色背景が緑色背景に対して暗くなる。
【０００７】
そこで、特許文献１に記載の視標呈示装置では、赤色ガラスフィルタ及び緑色ガラスフィルタとして、その厚みの変化に対する視感特性の変化が異なる色ガラスフィルタを使用する。そして、特許文献１に記載の視標呈示装置では、両色ガラスフィルタの接合部分での影の発生を抑えるために両色ガラスフィルタの厚さを同一に調整すると共に、レッドグリーンテスト視標を被検眼に呈示した場合の赤色背景及び緑色背景の視感特性が略同一となるように両色ガラスフィルタの厚さを決定している。これにより、レッドグリーンテスト視標の赤色背景と緑色背景とをほぼ等しい明るさで被検眼に呈示することができる。
【先行技術文献】
【特許文献】
【０００８】
【特許文献１】特開２００８−１８８０５８号公報
【発明の概要】
【発明が解決しようとする課題】
【０００９】
図１３は、特許文献１に記載の視標呈示装置の課題を説明するための説明図である。図１４は、特許文献１に記載の視標呈示装置により被検眼に呈示されるレッドグリーンテスト視標１４の概略図である。
【００１０】
図１３に示すように、特許文献１の視標呈示装置は、レッドグリーンテスト時に、チャート板１００の所定の視標チャート１０２と、マスク板１０４の所定のマスク開口１０６とを、不図示のＬＥＤから出射される白色光Ｌ１の光路に配置する。このマスク開口１０６には、緑色ガラスフィルタ１０８及び赤色ガラスフィルタ１０９が設けられている。なお、緑色ガラスフィルタ１０８及び赤色ガラスフィルタ１０９は、視標チャート１０２に設けられていてもよい。
【００１１】
緑色ガラスフィルタ１０８は、白色光Ｌ１のうち緑色波長域の緑色光ＬＧを透過する。また、赤色ガラスフィルタ１０９は、白色光Ｌ１のうち赤色波長域の赤色光ＬＲを透過する。そして、視標チャート１０２を透過した緑色光ＬＧ及び赤色光ＬＲにより構成される視標光束Ｌ２が不図示のスクリーン上に結像されることで、図１４に示すように、被検眼に対して、黒色視標１６Ｂ、緑色背景１６Ｇ、及び赤色背景１６Ｒを有するレッドグリーンテスト視標１４が呈示される。
【００１２】
この際に、緑色ガラスフィルタ１０８及び赤色ガラスフィルタ１０９には厚みがある。このため、緑色ガラスフィルタ１０８及び赤色ガラスフィルタ１０９の厚みが同一であっても、図１３中の矢印Ａで示すように、斜め方向から緑色ガラスフィルタ１０８及び赤色ガラスフィルタ１０９の一方に入射した白色光Ｌ１の一部は一方を透過した後に他方を透過する。この場合には、緑色光ＬＧと赤色光ＬＲとが混ざることにより、図１４に示すように、レッドグリーンテスト視標１４の緑色背景１６Ｇ及び赤色背景１６Ｒの境界に影１１４が発生する。
【００１３】
また、上述の影１１４は、緑色ガラスフィルタ１０８及び赤色ガラスフィルタ１０９の接合部（以下、接合部と略す）に欠けがある場合にも発生する。そして、この欠けを防止するために接合部に面取りを施したとしても、この面取り面により影１１４が発生してしまう。このため、被検者に影１１４が見えないように接合部に黒ラインを形成したり或いは接合後に研磨したりする方法があるが、前者の方法ではレッドグリーンテスト視標１４の緑視標と赤視標との間隔が空いてしまうので被検者が両視標を比較し難くなる。また、後者の方法では緑色ガラスフィルタ１０８及び赤色ガラスフィルタ１０９を貼り合せた後で研磨する必要があるので、非常に手間がかかる。
【００１４】
さらに、緑色ガラスフィルタ１０８及び赤色ガラスフィルタ１０９は、大量生産される市販品の中から選択する必要がある。このため、必ずしも光源の種類に対応した最適な色ガラスフィルタを選択することができないという問題もある。さらにまた、厚みのある緑色ガラスフィルタ１０８及び赤色ガラスフィルタ１０９をマスク板１０４（チャート板１００でも可）に設けると、マスク板１０４の重量が増すと共にバランスが崩れるため、高速回転及び停止が困難となる。その結果、視標の切り替えに時間を要することになる。
【００１５】
そこで、色ガラスフィルタの代わりに、緑色光を透過する緑色ダイクロイックフィルタと、赤色光を透過する赤色ダイクロイックフィルタとを用いることが考えられる。各ダイクロイックフィルタは、誘電体多層膜からなる薄膜であり且つ透過性能設計の自由度が高いので、既述の特許文献１に係る発明の問題は解決可能である。
【００１６】
しかしながら、各ダイクロイックフィルタは、白色光Ｌ１の中で透過する波長域以外の他の波長域の余剰光を反射する。このため、各ダイクロイックフィルタにより反射された余剰光が白色光Ｌ１の光路を遡って光源に入射してしまう。その結果、ダイクロイックフィルタにより反射された余剰光が光源に対して悪影響を及ぼすおそれがあるという新たな問題が発生する。
【００１７】
本発明はこのような事情に鑑みてなされたものであり、ダイクロイックフィルタにより反射された余剰光が光源に対して悪影響を及ぼすことを防止可能な視標呈示装置を提供することを目的とする。
【課題を解決するための手段】
【００１８】
本発明の目的を達成するための視標呈示装置は、白色光を出射する光源と、白色光の光路に配置された視標チャートと、光路に配置された二色フィルタであって、緑色波長域の緑色光を透過し且つ他の波長域の余剰光を反射する緑色ダイクロイックフィルタと、赤色波長域の赤色光を透過し且つ他の波長域の余剰光を反射する赤色ダイクロイックフィルタと、を有する二色フィルタと、を備え、緑色ダイクロイックフィルタ及び赤色ダイクロイックフィルタが、光路に対して傾斜している。
【００１９】
この視標呈示装置によれば、光源への余剰光の入射が防止される。
【００２０】
本発明の他の態様に係る視標呈示装置において、緑色ダイクロイックフィルタ及び赤色ダイクロイックフィルタが、余剰光を光路の外側に向けて反射する。これにより、光源への余剰光の入射が防止される。
【００２１】
本発明の他の態様に係る視標呈示装置において、二色フィルタが、光路に対して傾斜した複数の傾斜面を有する透光体を備え、緑色ダイクロイックフィルタ及び赤色ダイクロイックフィルタが、互いに異なる傾斜面に形成されている。これにより、光源への余剰光の入射が防止される。
【００２２】
本発明の他の態様に係る視標呈示装置において、二色フィルタが、光路に対して傾斜した傾斜面を有する透光体を備え、緑色ダイクロイックフィルタ及び赤色ダイクロイックフィルタが、同一の傾斜面の互いに異なる領域に形成されている。これにより、光源への余剰光の入射が防止されると共に、傾斜面上で緑色ダイクロイックフィルタ及び赤色ダイクロイックフィルタを接合させることができる。
【００２３】
本発明の他の態様に係る視標呈示装置において、光路に対して平行な第１回転軸を中心として回転するチャート板であって、第１回転軸の軸周り方向に沿って複数種類の視標チャートが設けられているチャート板と、第１回転軸を中心としてチャート板を回転させて、複数種類の視標チャートを選択的に光路に配置させる第１回転機構と、を備え、二色フィルタが、チャート板の少なくとも一つの視標チャートに対応する位置に設けられている。これにより、光源への余剰光の入射が防止される。
【００２４】
本発明の他の態様に係る視標呈示装置において、光路に対して平行な第１回転軸を中心として回転するチャート板であって、第１回転軸の軸周り方向に沿って複数種類の視標チャートが設けられているチャート板と、第１回転軸を中心としてチャート板を回転させて、複数種類の視標チャートを選択的に光路に配置させる第１回転機構と、光路に対して平行な第２回転軸を中心として回転するマスク板であって、第２回転軸の軸周り方向に沿って複数種類のマスク開口が設けられているマスク板と、第２回転軸を中心としてマスク板を回転させて、複数種類のマスク開口を選択的に光路に配置させる第２回転機構と、を備え、二色フィルタが、チャート板の少なくとも一つの視標チャートに対応する位置、或いはマスク板の少なくとも一つのマスク開口に対応する位置に設けられている。これにより、光源への余剰光の入射が防止される。
【００２５】
本発明の他の態様に係る視標呈示装置において、二色フィルタを透過した緑色光及び赤色光が通過する光通過板と、二色フィルタと光通過板との間に配置された遮光部材と、を備え、緑色ダイクロイックフィルタ及び赤色ダイクロイックフィルタが、二色フィルタと光通過板との間において緑色光の一部と赤色光の一部とを交差させる傾斜角度に設定され、遮光部材が、二色フィルタから出射された緑色光の一部と赤色光の一部とを遮光する。これにより、二色フィルタと光通過板との間での緑色光と赤色光との混色の発生が防止されるので、被検眼に対して良好な視標を呈示することができる。
【００２６】
本発明の他の態様に係る視標呈示装置において、光路に対して平行な第１回転軸を中心として回転するチャート板であって、第１回転軸の軸周り方向に沿って複数種類の視標チャートが設けられているチャート板と、第１回転軸を中心としてチャート板を回転させて、複数種類の視標チャートを選択的に光路に配置させる第１回転機構と、を備え、二色フィルタがチャート板よりも光源に近い位置に配置されており、光通過板がチャート板である。これにより、二色フィルタとチャート板との間での緑色光と赤色光との混色の発生が防止される。
【００２７】
本発明の他の態様に係る視標呈示装置において、光路に対して平行な第２回転軸を中心として回転するマスク板であって、第２回転軸の軸周り方向に沿って複数種類のマスク開口が設けられているマスク板と、第２回転軸を中心としてマスク板を回転させて、複数種類のマスク開口を選択的に光路に配置させる第２回転機構と、を備え、二色フィルタが、マスク板よりも光源に近い位置に配置されており、光通過板がマスク板である。これにより、二色フィルタとマスク板との間での緑色光と赤色光との混色の発生が防止される。
【００２８】
本発明の他の態様に係る視標呈示装置において、光源が、発光ダイオードである。
【発明の効果】
【００２９】
本発明は、ダイクロイックフィルタにより反射された余剰光が光源に対して悪影響を及ぼすことが防止される。
【図面の簡単な説明】
【００３０】
【図１】被検眼に対して複数種類の視標を選択的に呈示する視標呈示装置の概略図である。
【図２】視標呈示装置により被検眼に呈示される３０種類の視標の一覧を示した図である。
【図３】チャート板の正面図である。
【図４】マスク板の正面図である。
【図５】レッドグリーンテスト視標に対応した二色フィルタであって且つ光路に配置された状態の二色フィルタの外観斜視図である。
【図６】図５に示した二色フィルタによる緑色光及び赤色光の透過と、余剰光の反射とを説明するための説明図である。
【図７】レッドグリーンテスト視標に対応した二色フィルタの変形例１を説明するための説明図である。
【図８】レッドグリーンテスト視標に対応した二色フィルタの変形例２を説明するための説明図である。
【図９】ワース４灯テスト視標に対応した二色フィルタの変形例２を説明するための説明図である。
【図１０】二色フィルタを透過した緑色光及び赤色光の混色の発生を説明するための説明図である。
【図１１】緑色光及び赤色光の交差（混色）に起因する影の発生を防止可能な変形例３の視標呈示装置の説明図である。
【図１２】緑色光及び赤色光の交差（混色）に起因する影の発生を防止可能な変形例４の視標呈示装置の説明図である。
【図１３】特許文献１に記載の視標呈示装置の課題を説明するための説明図である。
【図１４】特許文献１に記載の視標呈示装置により被検眼に呈示されるレッドグリーンテスト視標の概略図である。
【発明を実施するための形態】
【００３１】
［視標呈示装置の構成］
図１は、被検眼Ｅに対して複数種類の視標１２を選択的に呈示する視標呈示装置１０の概略図である。図１に示すように、視標呈示装置１０は、被検眼Ｅの各種視機能を自覚検査するために、複数種類（本実施形態では例えば３０種類）の視標１２の中から検者により選択された視標１２をスクリーン９に投影することで、この視標１２を被検眼Ｅ（被検者）に呈示する。
【００３２】
図２は、視標呈示装置１０により被検眼Ｅに呈示される３０種類の視標１２の一覧を示した図である。３０種類の視標１２には、白色背景上に黒色の文字又は記号を表わした黒色視標１３と、背景又は視標自体が緑色と赤色とに色分けされているレッドグリーンテスト視標１４及びワース４灯テスト視標１５と、が含まれる。なお、本明細書における視標１２（黒色視標１３、レッドグリーンテスト視標１４、及びワース４灯テスト視標１５）とは、スクリーン９に投影される視標像、すなわち被検眼Ｅに呈示される視標像である。
【００３３】
黒色視標１３としては、例えば、視力検査用のランドルト環、記号、及び文字等と、乱視テスト用の放射線視標と、クロスシリンダーテスト用の点群視標と、不等像視テスト用の不等像視標と、十字斜位テスト用の十字斜位視標と、マドックステスト用の光源視標と、が挙げられる。
【００３４】
レッドグリーンテスト視標１４は、公知のレッドグリーンテストに用いられるものであり、既述の図１４に示したように、緑色背景１６Ｇと、赤色背景１６Ｒと、文字及び記号等の黒色視標１６Ｂと、を含む。ワース４灯テスト視標１５は、公知のワース４灯テストに用いられるものであり、黒色背景１８Ｂと、緑色視標１８Ｇと、赤色視標１８Ｒと、を含む。なお、ワース４灯テスト（ワース４灯テスト視標１５）は、広義ではレッドグリーンテスト（レッドグリーンテスト視標１４）に含まれる。
【００３５】
図１に戻って、視標呈示装置１０は、光源２０と、コリメータレンズ２２と、チャート板２４と、第１回転機構２６と、マスク板２８と、第２回転機構３０と、投影レンズ３２と、制御部３４と、操作部３６と、を備える。
【００３６】
光源２０は、白色光Ｌ１を出射する半導体光源、より具体的にはＬＥＤ（発光ダイオード）である。なお、図中の符号ＯＡは白色光Ｌ１の光路（視標呈示装置１０の光学系の光軸）を示す。また、白色光Ｌ１を出射する光源２０として、例えばレーザダイオードのようなＬＥＤ以外の半導体光源を用いたり、或いはハロゲンランプを用いたりしてもよい。
【００３７】
コリメータレンズ２２は、光源２０から出射された白色光Ｌ１を平行光束（略平行光束）とした後、この白色光Ｌ１をマスク板２８に向けて出射する。これにより、白色光Ｌ１がマスク板２８のマスク開口２９と、チャート板２４の視標チャート２５とを順番に透過する。なお、チャート板２４とマスク板２８との位置関係が逆であってもよい。
【００３８】
図３は、チャート板２４の正面図である。図３及び既述の図１に示すように、チャート板２４は、光路ＯＡに平行な第１回転軸３８を中心として回転する円板状のガラス板である。このチャート板２４には、第１回転軸３８の軸周り方向に沿って（すなわち第１回転軸３８を中心とする同一円上に沿って）、既述の３０種類の視標１２に対応する３０種類の視標チャート２５がクロム蒸着により形成されている。
【００３９】
なお、図３では、図面の煩雑化を防止するため、３０種類の視標１２に対応する視標チャート２５を数字「１」〜「３０」で簡略的に表している。例えば、レッドグリーンテスト視標１４は数字「８」で表わしている。
【００４０】
各黒色視標１３に対応する視標チャート２５とは、各黒色視標１３に対応するパターンをチャート板２４にクロム蒸着で形成したものである。また、レッドグリーンテスト視標１４に対応する視標チャート２５とは、黒色視標１６Ｂに対応するパターンをチャート板２４にクロム蒸着で形成したものである。さらに、ワース４灯テスト視標１５に対応する視標チャート２５とは、黒色背景１８Ｂに対応するパターンをチャート板２４にクロム蒸着で形成したものである。
【００４１】
第１回転軸３８は、チャート板２４の各視標チャート２５のいずれかが光路ＯＡに配置されるように、この光路ＯＡからその垂直方向にシフトした位置に設けられている。これにより、第１回転軸３８を中心としてチャート板２４を回転させることにより、３０種類の各視標チャート２５のいずれかが選択的に光路ＯＡに配置される。
【００４２】
第１回転機構２６は、不図示のモータと、このモータの回転駆動力を第１回転軸３８に伝達する不図示の駆動伝達機構とにより構成されており、後述の制御部３４の制御の下、第１回転軸３８を回転させる。これにより、チャート板２４が第１回転軸３８を中心として回転する。
【００４３】
図４は、マスク板２８の正面図である。図４及び既述の図１に示すように、マスク板２８は、光路ＯＡに平行な第２回転軸４０を中心として回転する円板状のガラス板である。マスク板２８の一面（両面でも可）には、クロム蒸着による遮光層２８ａ（図６参照）が形成されている。このマスク板２８の遮光層２８ａには、第２回転軸４０の軸周り方向に沿って（すなわち第２回転軸４０を中心とする同一円上に沿って）、白色光Ｌ１を透過可能な複数種類のマスク開口２９が形成されている。なお、マスク板２８は金属等の白色光Ｌ１を透過しない材料で形成されていてもよく、この場合には各マスク開口２９として貫通孔がマスク板２８に形成される。
【００４４】
複数種類のマスク開口２９には、例えば、視力検査用の黒色視標１３に対応する視標チャート２５の一部領域のみに白色光Ｌ１を照射可能な形状の開口、及び視標チャート２５の全領域に白色光Ｌ１を照射可能な形状の開口などの各種形状の開口が含まれている。これにより、視標チャート２５に対してマスク開口２９に対応した照射範囲で白色光Ｌ１を照射することができる。
【００４５】
また、マスク板２８の一部のマスク開口２９に対応する位置には、レッドグリーンテスト視標１４及びワース４灯テスト視標１５などにそれぞれ対応した二色フィルタ４４が貼付等の方法で設けられている。レッドグリーンテスト視標１４に対応する二色フィルタ４４は、レッドグリーンテスト視標１４の背景を緑色背景１６Ｇと赤色背景１６Ｒとに色分けする。また、ワース４灯テスト視標１５に対応した二色フィルタ４４は、視標自体を緑色視標１８Ｇと赤色視標１８Ｒとに色分けする。
【００４６】
第２回転軸４０は、マスク板２８の各マスク開口２９（二色フィルタ４４）のいずれかが光路ＯＡに配置されるように、この光路ＯＡから既述の垂直方向にシフトした位置に設けられている。これにより、第２回転軸４０を中心としてマスク板２８を回転させることにより、各マスク開口２９（二色フィルタ４４）のいずれかが選択的に光路ＯＡに配置される。
【００４７】
第２回転機構３０は、既述の第１回転機構２６と同様の構成であり、後述の制御部３４の制御の下、第２回転軸４０を回転させる。これにより、マスク板２８が第２回転軸４０を中心として回転する。
【００４８】
図１に戻って、制御部３４は、検者による操作部３６に対する各種の入力操作に応じて、視標呈示装置１０の各部（光源２０、第１回転機構２６、及び第２回転機構３０）の駆動を制御する。この入力操作には、例えば、光源２０のオンオフ操作、視標１２の選択操作、及びマスク選択操作などが含まれる。
【００４９】
制御部３４は、操作部３６に入力された光源２０のオンオフ操作に応じて、光源２０をオンオフする。
【００５０】
制御部３４は、操作部３６に入力された視標１２の選択操作に応じて、第１回転機構２６を駆動して第１回転軸３８及びチャート板２４を回転させることで、選択操作に対応する視標チャート２５を光路ＯＡに配置させる。
【００５１】
また、制御部３４は、操作部３６に入力された選択操作が黒色視標１３の選択操作である場合には、第２回転機構３０を駆動して第２回転軸４０及びマスク板２８を回転させることで、視標チャート２５の全領域に白色光Ｌ１を照射可能なマスク開口２９を光路ＯＡに配置させる。これにより、コリメータレンズ２２から出射された白色光Ｌ１が、マスク開口２９及び視標チャート２５を順番に透過して、視標チャート２５から黒色視標１３の視標光束Ｌ２が出射される。
【００５２】
一方、制御部３４は、操作部３６に入力された選択操作がレッドグリーンテスト視標１４又はワース４灯テスト視標１５の選択操作である場合には、第２回転機構３０を駆動して第２回転軸４０及びマスク板２８を回転させることで、選択操作に対応する二色フィルタ４４を光路ＯＡに配置させる。これにより、コリメータレンズ２２から出射された白色光Ｌ１が二色フィルタ４４及び視標チャート２５を順番に透過して、視標チャート２５からレッドグリーンテスト視標１４又はワース４灯テスト視標１５の視標光束Ｌ２が出射される。
【００５３】
制御部３４は、操作部３６に入力されたマスク操作に応じて、第２回転機構３０を駆動して第２回転軸４０及びマスク板２８を回転させることで、マスク選択操作に対応するマスク開口２９を光路ＯＡに配置させる。これにより、視標チャート２５に照射される白色光Ｌ１の照射範囲がマスク開口２９により制限されるので、例えばマトリクス状に配置されている視力検査用の黒色視標１３の縦一列、横一列、又は一つだけを選択的に被検眼Ｅに呈示することができる。
【００５４】
投影レンズ３２は、視標チャート２５を透過した視標１２の視標光束Ｌ２を、被検眼Ｅから所定の検査距離Ｄ（例えば５ｍ）だけ離れた位置に設けられているスクリーン９上に結像させる。これにより、被検眼Ｅに対して視標１２が呈示される。
【００５５】
［二色フィルタ］
図５は、レッドグリーンテスト視標１４に対応した二色フィルタ４４であって且つ光路ＯＡに配置された状態の二色フィルタ４４の外観斜視図である。なお、図中のＸ方向、Ｙ方向、及びＺ方向は互いに直交している。また、Ｚ方向が光路ＯＡ（光軸）に平行な方向であり、本実施形態ではコリメータレンズ２２から出射された白色光Ｌ１がＺ方向の一方向側（−Ｚ方向側）から他方向側（＋Ｚ方向側）に進むものとする。
【００５６】
図５に示すように、二色フィルタ４４は、透光体４６と、緑色ダイクロイックフィルタ（以下、ＧＤＦという）４８と、赤色ダイクロイックフィルタ（以下、ＲＤＦという）４９と、を備える。なお、図５（他の図も同様）では、二色フィルタ４４の各部を明確にするため、相互の厚みの比率は無視して特にＧＤＦ４８及びＲＤＦ４９の厚みを一部誇張している。また、本明細書におけるダイクロイックフィルタにはダイクロイックミラーも含まれる。
【００５７】
透光体４６は、白色光Ｌ１を透過可能なガラス製のプリズム又は基板である。この透光体４６は、Ｙ方向に延びた三角柱形状の第１透光体４６ａ及び第２透光体４６ｂを接合して形成されている。また、透光体４６は、全体としてもＹ方向に延びた三角柱形状を有し且つＹ方向から見た断面が二等辺三角形状（正三角形状でも可）である。
【００５８】
第１透光体４６ａ及び第２透光体４６ｂは、Ｙ方向から見た場合において、光路ＯＡの中心を対称軸とする線対称の形状に形成されている。第１透光体４６ａはＸ方向の一方向側（−Ｘ方向側）に配置され且つ第２透光体４６ｂはＸ方向の他方向側（＋Ｘ方向側）に配置されている。なお、第１透光体４６ａ及び第２透光体４６ｂは、後述のＧＤＦ４８及びＲＤＦ４９の形成後に接合される。
【００５９】
また、透光体４６は、Ｙ方向に平行な３つの側面を有する。この３つの側面は、Ｙ方向から透光体４６を見た場合に二等三角形の底辺を構成する垂直面５４と、二等辺三角形の２つの等辺を構成する第１傾斜面５５及び第２傾斜面５６と、を含む。
【００６０】
垂直面５４は、Ｚ方向（光路ＯＡ）に垂直な面である。この垂直面５４は、第１透光体４６ａのマスク板２８に対向する側の側面と、第２透光体４６ｂのマスク板２８に対向する側の側面と、の２側面により構成される。従って、垂直面５４は、第１透光体４６ａと第２透光体４６ｂとを接合することにより形成される。
【００６１】
第１傾斜面５５は、第１透光体４６ａのコリメータレンズ２２側（光源２０側）の側面である。また、第２傾斜面５６は、第２透光体４６ｂのコリメータレンズ２２側（光源２０側）の側面である。
【００６２】
第１傾斜面５５及び第２傾斜面５６は、それぞれＺ方向（光路ＯＡ）に対して傾斜している。具体的には、第１傾斜面５５は、Ｘ方向の一方向側（−Ｘ方向側）に向かって次第にマスク板２８側に近づくように（コリメータレンズ２２から遠ざかるように）傾斜している（図６参照）。また、第２傾斜面５６は、Ｘ方向の他方向側（＋Ｘ方向側）に向かって次第にマスク板２８側に近づくように傾斜している（図６参照）。
【００６３】
ＧＤＦ４８及びＲＤＦ４９は、屈折率の異なる誘電体の多層膜である誘電体多層膜であり、透光体４６の互いに異なる傾斜面上（第１傾斜面５５及び第２傾斜面５６の各々の表面上）に蒸着法又はスパッタ法などの公知の成膜法で形成される。ＧＤＦ４８は第１傾斜面５５の表面上に形成され、ＲＤＦ４９は第２傾斜面５６の表面上に形成される。従って、ＧＤＦ４８は第１傾斜面５５と同様にＺ方向（光路ＯＡ）に対して傾斜し、且つＲＤＦ４９は第２傾斜面５６と同様にＺ方向（光路ＯＡ）に対して傾斜する。
【００６４】
また、ＧＤＦ４８及びＲＤＦ４９は、第１透光体４６ａと第２透光体４６ｂとを接合させた際にこれに合わせて同時に接合される。
【００６５】
図６は、図５に示した二色フィルタ４４による緑色光ＬＧ及び赤色光ＬＲの透過と、余剰光Ｌｒの反射とを説明するための説明図である。図６に示すように、二色フィルタ４４は、その垂直面５４（図５参照）側がマスク板２８（マスク開口２９）に貼り付けられている。
【００６６】
なお、図６では、二色フィルタ４４が、マスク板２８のコリメータレンズ２２に対向する一面側に設けられているが、マスク板２８の一面側とは反対面側（チャート板２４に対向する面側）に設けられていてもよい。すなわち、二色フィルタ４４は、マスク板２８のマスク開口２９に対応する位置（マスク開口２９を透過する白色光Ｌ１の光路上の位置）であれば、マスク板２８の一面側と反対面側とのいずれに設けられていてもよい。
【００６７】
ＧＤＦ４８は、コリメータレンズ２２から入射する白色光Ｌ１の中で緑色波長域の緑色光ＬＧのみを透過し且つ他の波長域の余剰光Ｌｒは反射する。また、ＲＤＦ４９は、白色光Ｌ１の中で赤色波長域の赤色光ＬＲのみを透過し且つ他の波長域の余剰光Ｌｒは反射する。これにより、レッドグリーンテスト視標１４に対応した視標チャート２５の右半分及び左半分の一方が緑色光ＬＧで照明され且つ他方が赤色光ＬＲで照明されるので、背景が緑色背景１６Ｇと赤色背景１６Ｒとに色分けされたレッドグリーンテスト視標１４の視標光束Ｌ２がスクリーン９に投影される。
【００６８】
なお、緑色光ＬＧ及び赤色光ＬＲは、傾斜しているＧＤＦ４８及びＲＤＦ４９により偏向（屈折）されることで、Ｚ方向（光路ＯＡ）に対して非平行な光となるが、図６中では図面の煩雑化を防止するため緑色光ＬＧ及び赤色光ＬＲをＺ方向に平行な光で表している（後述の図８も同様）。
【００６９】
ＧＤＦ４８及びＲＤＦ４９は、Ｚ方向（光路ＯＡ）に対して傾斜しているので、余剰光Ｌｒを光路ＯＡの外側に向かう方向（光路ＯＡから外れる方向）に反射することができる。これにより、ＧＤＦ４８及びＲＤＦ４９によりそれぞれ反射された余剰光Ｌｒは、コリメータレンズ２２に入射せずに光路ＯＡ外に出射する、或いはコリメータレンズ２２に入射した後にコリメータレンズ２２から光源２０とは異なる方向に向けて出射する。このため、余剰光Ｌｒが光源２０に入射することが防止される。
【００７０】
ＧＤＦ４８及びＲＤＦ４９のフィルタ特性は、例えば、光源２０を標準光源（Ａ光源）とした場合に以下のように定められる。なお、本発明はこれに限定されるものではない。ＧＤＦ４８の透過特性のピークが波長５３０ｎｍから５５０ｎｍの範囲内にあり、ＲＤＦ４９の透過特性のピークが波長６００ｎｍから６２０ｎｍの範囲内である。また、ＧＤＦ４８及びＲＤＦ４９の分光視感透過率の半値全幅が６０ｎｍである。さらに、ＧＤＦ４８及びＲＤＦ４９の分光視感透過率は、分光視感透過率が低い方が分光視感透過率の高い方の１５％を下回らないように調整されている。
【００７１】
さらにまた、ＧＤＦ４８の波長５９５〜６０５ｎｍの分光透過率が０．０２以下で且つ波長６０５〜７００ｎｍの分光透過率が０．０１以下である。また、ＲＤＦ４９の波長５９５〜６０５ｎｍの分光透過率が０．０２以下で且つ波長４００〜５９５ｎｍの分光透過率が０．０１以下である。
【００７２】
ワース４灯テスト視標１５に対応した二色フィルタ４４は、視標チャート２５内の緑色視標１８Ｇに対応する位置に向けて緑色光ＬＧを出射し且つ赤色視標１８Ｒに対応する位置に向けて赤色光ＬＲを出射する。このため、ワース４灯テスト視標１５に対応した二色フィルタ４４は、マスク板２８（マスク開口２９）上での第１透光体４６ａ及びＧＤＦ４８の位置と、第２透光体４６ｂ及びＲＤＦ４９の位置とが異なる点を除けば、既述のレッドグリーンテスト視標１４に対応した二色フィルタ４４と基本的に同じ構成であるので、具体的な説明は省略する。
【００７３】
なお、ワース４灯テスト視標１５においては緑色視標１８Ｇの位置と赤色視標１８Ｒの位置とが離れているので、第１透光体４６ａ（ＧＤＦ４８）と第２透光体４６ｂ（ＲＤＦ４９）とを必ずしも接合させる必要はなく、両者が分離していてもよい（後述の図９参照）。
【００７４】
以上のように本実施形態では、二色フィルタ４４の緑色フィルタ及び赤色フィルタとしてＧＤＦ４８及びＲＤＦ４９を用いると共に、ＧＤＦ４８及びＲＤＦ４９の双方をＺ方向（光路ＯＡ）に対して傾斜させることで、ＧＤＦ４８及びＲＤＦ４９により反射された余剰光Ｌｒが光源２０に入射することが防止される。その結果、余剰光Ｌｒが光源２０に対して悪影響を及ぼすことが防止される。
【００７５】
また、本実施形態では、ＧＤＦ４８及びＲＤＦ４９を用いることにより、緑色フィルタ及び赤色フィルタを色ガラスフィルタで形成する場合よりも厚みを大幅に薄くすることができる。このため、既述の図１３に示したように白色光Ｌ１が二色フィルタ４４に斜めに入射したとしてもこの白色光Ｌ１がＧＤＦ４８及びＲＤＦ４９の双方を透過することが防止される。その結果、既述の図１４に示したように、レッドグリーンテスト視標１４における緑色背景１６Ｇ及び赤色背景１６Ｒの境界に影１１４が発生することが防止されるので、被検眼Ｅに対して良好なレッドグリーンテスト視標１４を呈示することができる。
【００７６】
また、ＧＤＦ４８及びＲＤＦ４９は誘電体多層膜からなる薄膜であるので、色ガラスフィルタとは異なり欠けが発生し難い。このため、ＧＤＦ４８及びＲＤＦ４９の接合部には欠けが発生し難く、緑色背景１６Ｇ及び赤色背景１６Ｒの境界に影１１４が発生することが防止される。また、色ガラスフィルタを用いる従来のように、緑色背景１６Ｇ及び赤色背景１６Ｒの間隔をあけたり、上述の接合後に研磨したりする必要がなくなる。その結果、被検眼Ｅに対して良好なレッドグリーンテスト視標１４及びワース４灯テスト視標１５を呈示することができ、且つ研磨の手間を減らすことができる。
【００７７】
さらに、ＧＤＦ４８及びＲＤＦ４９は、市販品の色ガラスフィルタとは異なり、透過性能設計の自由度が高いため、光源２０の種類に応じてＧＤＦ４８及びＲＤＦ４９の性能を最適化することができる。その結果、被検眼Ｅに対して良好なレッドグリーンテスト視標１４及びワース４灯テスト視標１５を呈示することができる。
【００７８】
さらにまた、ＧＤＦ４８及びＲＤＦ４９は薄膜であるので、色ガラスフィルタを用いる場合よりも二色フィルタ４４を大幅に軽量化することができる。その結果、マスク板１０４の重量増加を最小限に抑えることができるので、マスク板２８の高速回転及び停止が可能となり、視標１２の切り替えを短時間で行うことができる。
【００７９】
［変形例］
以下、二色フィルタ４４（視標呈示装置１０）の変形例について説明する。なお、変形例は、一部を除いて上記実施形態と基本的には同じ構成であるので、上記実施形態と機能又は構成上同一のものについては、同一符号を付してその説明は省略する。
【００８０】
＜変形例１＞
図７は、レッドグリーンテスト視標１４に対応した二色フィルタ４４の変形例１を説明するための説明図である。上記実施形態では、透光体４６の第１傾斜面５５にＧＤＦ４８を形成し且つ第２傾斜面５６にＲＤＦ４９を形成しているが、図７に示すように同一の傾斜面５８内にＧＤＦ４８とＲＤＦ４９とを形成してもよい。なお、変形例１は、透光体４６の形状と、透光体４６上でのＧＤＦ４８及びＲＤＦ４９の形成位置と、が上記実施形態とは異なる。
【００８１】
変形例１の透光体４６は、Ｙ方向に延びた三角柱形状を有し且つＹ方向から見た断面が二等辺三角形状（正三角形状でも可）に形成されている。そして、この透光体４６は、Ｙ方向に平行な垂直面５４及び傾斜面５８を有する。ここで、Ｙ方向から透光体４６を見た場合において、垂直面５４は二等三角形の２つの等辺の一方を構成し、傾斜面５８は２つの等辺の他方を構成する。
【００８２】
変形例１の垂直面５４は、上記実施形態の垂直面５４と同様にＺ方向（光路ＯＡ）に垂直な面であり、透光体４６のマスク板２８（マスク開口２９）に貼り付けられる。
【００８３】
傾斜面５８は、Ｚ方向（光路ＯＡ）に対して任意の方向に傾斜、例えば＋Ｘ方向側に向かって次第にマスク板２８側に近づくように（コリメータレンズ２２から遠ざかるように）傾斜している。また、傾斜面５８はそのＹ方向に平行な中心線Ｃ１を基準として２つの領域Ｓ１，Ｓ２に分かれている。
【００８４】
ＧＤＦ４８及びＲＤＦ４９は、同一の傾斜面５８の互いに異なる領域Ｓ１，Ｓ２に公知の成膜法で形成されている。例えば領域Ｓ１にはＧＤＦ４８が形成され、且つ領域Ｓ２にはＲＤＦ４９が形成される。これにより、ＧＤＦ４８及びＲＤＦ４９は、Ｚ方向（光路ＯＡ）に対して同方向に傾斜する。この場合にもＧＤＦ４８及びＲＤＦ４９は、余剰光Ｌｒを光路ＯＡの外側に向かう方向（光路ＯＡから外れる方向）に反射することができるので、上記実施形態と同様の効果が得られる。
【００８５】
また、成膜法等を用いて同一の傾斜面５８上にＧＤＦ４８及びＲＤＦ４９を形成する場合には、この傾斜面５８上でＧＤＦ４８及びＲＤＦ４９を接合させられるので、ＧＤＦ４８及びＲＤＦ４９の接合部での欠けの発生が確実に防止される。なお、変形例１では、傾斜面５８上において定められたエリアごとにＧＤＦ４８及びＲＤＦ４９を形成することもできる。
【００８６】
なお、ワース４灯テスト視標１５に対応する二色フィルタ４４の変形例１は、図７に示した二色フィルタ４４と基本的に同じ構成であるので、具体的な説明は省略する。
【００８７】
＜変形例２＞
図８は、レッドグリーンテスト視標１４に対応した二色フィルタ４４の変形例２を説明するための説明図である。上記実施形態では、二色フィルタ４４をマスク板２８に設けているが、例えば図８に示すように、二色フィルタ４４を貼付等の方法でチャート板２４の少なくとも一つの視標チャート２５に対応する位置に設けてもよい。この場合にも上記実施形態と同様の効果が得られる。また、マスク板２８が無いタイプの視標呈示装置１０にも本発明を適用することができる。
【００８８】
図９は、ワース４灯テスト視標１５に対応した二色フィルタ４４の変形例２を説明するための説明図である。図９に示すように、ワース４灯テスト視標１５に対応した二色フィルタ４４については、緑色視標１８Ｇに対応するパターンの位置と、赤色視標１８Ｒに対応するパターンの位置とが離れているので、第１透光体４６ａ（ＧＤＦ４８）と第２透光体４６ｂ（ＲＤＦ４９）とを分離させてもよい。或いは、第１透光体４６ａと第２透光体４６ｂとを分離させる代わりに、既述の図８に示したように、第１透光体４６ａと第２透光体４６ｂとを接合させてもよい。
【００８９】
なお、チャート板２４に設ける変形例２の二色フィルタ４４として、既述の図８及び図９に示した上記実施形態の二色フィルタ４４の代わりに、既述の図７に示した変形例１の二色フィルタ４４を用いてもよい。
【００９０】
［変形例３］
図１０は、上記実施形態の二色フィルタ４４を透過した緑色光ＬＧ及び赤色光ＬＲの混色の発生を説明するための説明図である。なお、図１０では、緑色光ＬＧを点線矢印で挟まれる領域で表し、且つ赤色光ＬＲを二点鎖線矢印で挟まれる領域で表わしている（後述の図１１及び図１２も同様）。
【００９１】
図１０に示すように、上記実施形態のＧＤＦ４８は、例えば−Ｘ方向側に向かって次第にマスク板２８側に近づくように傾斜し、且つＲＤＦ４９は＋Ｘ方向側に向かって次第にマスク板２８側に近づくように傾斜している。このため、ＧＤＦ４８を透過した緑色光ＬＧは＋Ｘ方向側に偏向（屈折）されると共に、ＲＤＦ４９を透過した赤色光ＬＲは−Ｘ方向側に偏向（屈折）される。
【００９２】
この際に、ＧＤＦ４８及びＲＤＦ４９は、二色フィルタ４４とチャート板２４（視標チャート２５）との間において、緑色光ＬＧの一部と赤色光ＬＲの一部とを交差させる傾斜角度に設定されている。この場合には、二色フィルタ４４とチャート板２４との間で、緑色光ＬＧの一部と赤色光ＬＲの一部とが交差（混色）して影６０が発生する。そこで、変形例３では、ＧＤＦ４８及びＲＤＦ４９の傾斜に起因する影６０の発生を防止する。
【００９３】
図１１は、緑色光ＬＧ及び赤色光ＬＲの交差（混色）に起因する影６０の発生を防止可能な変形例３の視標呈示装置１０の説明図である。図１１に示すように、変形例３は遮光部材６２を備える点で上記実施形態とは異なる。なお、変形例３では、チャート板２４が本発明の光通過板に相当する。また、図１１では、レッドグリーンテスト視標１４に対応する二色フィルタ４４がマスク板２８に設けられているが、ワース４灯テスト視標１５に対応する二色フィルタ４４がマスク板２８に設けられていてもよい。
【００９４】
遮光部材６２は、例えばクロム蒸着によりマスク板２８のマスク開口２９上又は透光体４６の垂直面５４上に形成されている。具体的には遮光部材６２は、マスク開口２９又は垂直面５４の中で、第１透光体４６ａ及び第２透光体４６ｂの境界部（すなわちＧＤＦ４８及びＲＤＦ４９の境界部）に対応する位置に形成されている。そして、遮光部材６２は、二色フィルタ４４から出射される緑色光ＬＧ及び赤色光ＬＲのうちで、二色フィルタ４４とチャート板２４との間で交差する光を遮光する。なお、遮光部材６２の位置及び形状については実験又はシミュレーションで決定可能である。
【００９５】
このように遮光部材６２によって緑色光ＬＧ及び赤色光ＬＲの双方の一部を遮光することで、影６０の発生が防止される。その結果、被検眼Ｅに対して良好なレッドグリーンテスト視標１４及びワース４灯テスト視標１５を呈示することができる。
【００９６】
［変形例４］
図１２は、緑色光ＬＧ及び赤色光ＬＲの交差（混色）に起因する影６０の発生を防止可能な変形例４の視標呈示装置１０の説明図である。図１２に示すように、変形例４は、二色フィルタ４４とマスク板２８との位置関係が変形例３とは異なる。
【００９７】
具体的には、既述の変形例３では、二色フィルタ４４を透過した緑色光ＬＧ及び赤色光ＬＲがチャート板２４に入射するが、変形例４では、二色フィルタ４４がマスク板２８よりも光源２０に近い位置に設けられており、この二色フィルタ４４を透過した緑色光ＬＧ及び赤色光ＬＲがマスク板２８に入射する。例えば、変形例４では、マスク板２８とチャート板２４との位置関係が上記実施形態とは逆であり、且つ二色フィルタ４４がチャート板２４に設けられている。従って、変形例４ではマスク板２８が本発明の光通過板に相当する。
【００９８】
このような変形例４においてもチャート板２４の視標チャート２５上又は透光体４６の垂直面５４上に遮光部材６２を形成して、二色フィルタ４４から出射される緑色光ＬＧ及び赤色光ＬＲのうちで二色フィルタ４４とマスク板２８との間で交差する光を遮光部材６２により遮光してもよい。これにより、影６０の発生が防止される。その結果、被検眼Ｅに対して良好なレッドグリーンテスト視標１４及びワース４灯テスト視標１５を呈示することができる。
【００９９】
［その他］
上記実施形態及び変形例では、レッドグリーンテスト視標１４及びワース４灯テスト視標１５に対応する二色フィルタ４４を例に挙げているが、背景又は視標自体が緑色と赤色とに色分けされている公知の他の視標１２に対応する二色フィルタ４４にも本発明を適用することができる。
【０１００】
上記実施形態及び変形例では、ＧＤＦ４８及びＲＤＦ４９による余剰光Ｌｒの反射の一例を説明したが、余剰光Ｌｒを光源２０に入射しないように反射可能であれば、ＧＤＦ４８及びＲＤＦ４９の各々の傾斜角度は適宜変更可能である。
【０１０１】
上記実施形態の透光体４６は、図５及び図６に示したように２つの第１傾斜面５５及び第２傾斜面５６を有しているが、透光体４６に３以上の傾斜面を設け、各傾斜面にそれぞれＧＤＦ４８又はＲＤＦ４９を形成してもよい。
【０１０２】
上記実施形態及び変形例では、二色フィルタ４４の透光体４６が三角柱形状に形成されているが、光路ＯＡに対して傾斜した１又は複数の各種傾斜面（ＧＤＦ４８及びＲＤＦ４９）を有する形状であれば、その形状は特に限定はされない。
【０１０３】
上記実施形態及び変形例では、ＧＤＦ４８及びＲＤＦ４９をガラス製の透光体４６に形成しているが、透光性を有し且つＧＤＦ４８及びＲＤＦ４９を形成可能であれば公知の他の材料からなる透光体４６にＧＤＦ４８及びＲＤＦ４９を形成してもよい。
【０１０４】
上記実施形態及び変形例の視標呈示装置１０は、視標光束Ｌ２をスクリーン９上に結像（投影）しているが、例えば光学系を用いて視標光束Ｌ２に基づく視標１２の虚像を被検眼Ｅから検査距離Ｄだけ離れた位置に結像させることにより、被検眼Ｅから近距離に設置可能な省スペースタイプの視標呈示装置１０にも本発明を適用することができる。
【符号の説明】
【０１０５】
１０…視標呈示装置
１２…視標
１４…レッドグリーンテスト視標
１５…ワース４灯テスト視標
２０…光源
２４…チャート板
２５…視標チャート
２６…第１回転機構
２８…マスク板
２９…マスク開口
３０…第２回転機構
３８…第１回転軸
４０…第２回転軸
４４…二色フィルタ
４６…透光体
４６ａ…第１透光体
４６ｂ…第２透光体
４８…緑色ダイクロイックフィルタ（ＧＤＦ）
４９…赤色ダイクロイックフィルタ（ＲＤＦ）
５４…垂直面
５５…第１傾斜面
５６…第２傾斜面
５８…傾斜面
６２…遮光部材
【図１】
2020156686.tif 000003
【図２】
2020156686.tif 000004
【図３】
2020156686.tif 000005
【図４】
2020156686.tif 000006
【図５】
2020156686.tif 000007
【図６】
2020156686.tif 000008
【図７】
2020156686.tif 000009
【図８】
2020156686.tif 000010
【図９】
2020156686.tif 000011
【図１０】
2020156686.tif 000012
【図１１】
2020156686.tif 000013
【図１２】
2020156686.tif 000014
【図１３】
2020156686.tif 000015
【図１４】
2020156686.tif 000016